(57)【要約】【課題】開弁位置と閉弁位置とに移動可能なハンドルを有する大便器用フラッシュバルブにおける開弁操作を手によって容易にできるようにする。【解決手段】フラッシュバルブ１の外周に固定されるカバー部材２０と、カバー部材２０から外方に突出し、第１位置と第２位置とに回動可能なアーム部材２１と、アーム部材２１の一方端からアーム部材２１に対して略垂直に設けられたレバー部材２２とを備える。そして、アーム部材２１が第１位置から第２位置に回転すると、レバー部材２２がハンドル１７を押圧して閉弁位置から開弁位置に移動させる。【選択図】図１
2014201988.tif 000002
【特許請求の範囲】
【請求項１】
開弁位置と閉弁位置とに移動可能なハンドルを有する大便器用フラッシュバルブに取り付け可能な補助ハンドル装置であって、
前記フラッシュバルブの外周に固定されるカバー部材と、
前記カバー部材から外方に突出し、第１位置と第２位置とに移動可能なアーム部材と、
前記アーム部材の第１位置から第２位置への移動に連動して、前記ハンドルを閉弁位置から開弁位置に移動させるレバー部材とを備えることを特徴とする補助ハンドル装置。
【請求項２】
前記アーム部材が棒状であって、前記レバー部材が、前記アーム部材の一方端から前記アーム部材に対して略垂直に設けられ、前記アーム部材及び前記レバー部材は前記アーム部材の前記一方端を中心として回動する請求項１記載の補助ハンドル装置。
【請求項３】
前記アーム部材が、前記カバー部から外方に突出した端部にグリップ部を有する請求項記載の補助ハンドル装置。
【請求項４】
前記カバー部材が略円筒形状で、大便器用フラッシュバルブに上方から嵌め入れるようにして取り付ける請求項１〜３のいずれかに記載の補助ハンドル装置。
【請求項５】
前記カバー部材が、合体すると略円筒形状となる左右一対の部材から構成され、大便器用フラッシュバルブに両側から挟み込むように取り付ける請求項１〜３のいずれかに記載の補助ハンドル装置。
【発明の詳細な説明】
【技術分野】
【０００１】
本発明は、大便器用フラッシュバルブに取り付け可能な補助ハンドル装置に関するものである。
【背景技術】
【０００２】
大便器用フラッシュバルブ（以下、単に「フラッシュバルブ」と記すことがある。）は、水道管に直接取り付けられるバルブであって、連続使用が可能であるため、デパート、ホテル、オフィス、駅などの商業施設や工場、学校及び住宅の水洗便所で多用されている。
【０００３】
フラッシュバルブの作動原理は、ハンドルを操作すると、内蔵されているピストンバルブのリリーフバルブの逃し弁が開き、ピストンバルブ上部の圧力室部の水が抜け、給水圧力でピストンバルブが上昇し吐水（便器への給水）が始まる。そして同時に、ピストンバルブのストレーナー（フィルター）から小穴を経て圧力室に水が徐々に入り、やがて圧力室の水圧が高くなるとピストンバルブが下降して自動的に水が止まる（例えば、特許文献１，２を参照）。
【先行技術文献】
【特許文献】
【０００４】
【特許文献１】特開2013-40530号公報
【特許文献２】実開昭63-41685号公報
【発明の概要】
【発明が解決しようとする課題】
【０００５】
フラッシュバルブのハンドル操作は、通常、手で行うものであるが、フラッシュバルブの取付位置が床に近い位置である場合には、足でハンドル操作されることがある。足でハンドル操作され続けられると、ピストンバルブが壊れて上下運動しなくなり、便器の水が出ないあるいは水が止まらないといった不具合が生じる。
【０００６】
また、フラッシュバルブは水洗便器の奥側など手の届きにくい所に配置されていることもあり、高齢者や子供などにはハンドル操作しにくいといった問題もあった。
【０００７】
そこで、本発明はこのような従来の問題に鑑みてなされたものであり、その目的は、フラッシュバルブのハンドル操作が足で行われることを防止し、手によって容易にできるようにする補助ハンドル装置を提供することにある。
【課題を解決するための手段】
【０００８】
本発明によれば、開弁位置と閉弁位置とに移動可能なハンドルを有する大便器用フラッシュバルブに取り付け可能な補助ハンドル装置であって、前記フラッシュバルブの外周に固定されるカバー部材と、前記カバー部材から外方に突出し、第１位置と第２位置とに移動可能なアーム部材と、前記アーム部材の第１位置から第２位置への移動に連動して、前記ハンドルを閉弁位置から開弁位置に移動させるレバー部材とを備えることを特徴とする補助ハンドル装置が提供される。
【０００９】
ここで、前記アーム部材を棒状とし、前記レバー部材を、前記アーム部材の一方端から前記アーム部材に対して略垂直に設け、前記アーム部材及び前記レバー部材を前記アーム部材の前記一方端を中心として回動するようにしてもよい。
【００１０】
前記アーム部材は、前記カバー部から外方に突出した端部にグリップ部を有するのが好ましい。
【００１１】
前記カバー部材を略円筒形状とし、大便器用フラッシュバルブに上方から嵌め入れるようにして取り付けてもよい。
【００１２】
あるいは、前記カバー部材を、合体すると略円筒形状となる左右一対の部材から構成し、大便器用フラッシュバルブに両側から挟み込むように取り付けてもよい。
【発明の効果】
【００１３】
本発明の補助ハンドル装置では、フラッシュバルブのハンドル操作は、必ず手によって操作されるので衛生的で、またフラッシュバルブのピストンバルブの壊れが確実に抑えられる。さらに、フラッシュバルブの取付位置にかかわらず容易に操作できるようになる。
【図面の簡単な説明】
【００１４】
【図１】フラッシュバルブに取り付けられた本発明に係る補助ハンドル装置の縦断面図である。
【図２】補助ハンドル装置のアーム部材を第２位置としたときの縦断面図である。
【図３】補助ハンドル装置のフラッシュバルブへの取り付けを説明する斜視図である。
【図４】補助ハンドル装置のフラッシュバルブへの他の取り付けを説明する斜視図である。
【発明を実施するための形態】
【００１５】
以下、図に基づき本発明の好適な実施形態を説明するが、本発明はこれらの実施形態に何ら限定されるものではない。
【００１６】
図１及び図２に、フラッシュバルブに取り付けられた本発明に係る補助ハンドル装置の縦断面図を示す。まず、フラッシュバルブの構造について簡単に説明する。
【００１７】
フラッシュバルブ１は、弁筐３の弁室３１内に主弁４を摺動自在に嵌合配置し、給水路５と放水路６との間に形成された弁座７に着座するようにしている。主弁４の内部には、副弁室８が形成されており、弁軸９を備えた起動弁１０がスプリング１１によって常時は弁座１２へ着座するように配置されている。起動弁１０の弁軸９に対向する位置でこれと直交する方向には、スプリング１５により付勢された押棒１６が取り付けられており、押棒１６の頭部側にはハンドル１７の一端側が当接配置されている。
【００１８】
主弁４はその環状鍔１８と、絞部と、案内羽根とが連続して形成され、案内羽根は弁口２６に嵌合配置されている。主弁４は、このように弁口２６に案内羽根が嵌合した状態で弁室３１内を図１の上下方向に摺動自在である。一方、弁座７の環状鍔１８と当接する位置にはパッキンが配置されており、更にパッキンの内面側に網材を取り付けた環状体が嵌合装着されている。
【００１９】
フラッシュバルブ１を開弁する場合は、ハンドル１７を下方に押圧し、押棒１６を前進させる。すると、押棒１６によって弁軸９が斜め上方へ押し上げられ、圧力室１４が逃□を介して放水路６と連通するようになる。このため、圧力室１４内の圧力が低下し、主弁４は給水路５の給水圧力によって弁室３１内を上方へ移動する。そして、起動弁１０はスプリング１１の付勢力により弁座１２へ当接し逃口を閉塞する。これにより、図２に示すように、弁口２６が開放され、洗浄水は給水路５から放水路６へと流出し、大便器を洗浄する。
【００２０】
一方、本発明に係る補助ハンドル装置２は、略円筒状のカバー部材２０と、軸２３を中心に揺動自在にカバー部材２０に取り付けられた棒状のアーム部材２１とを有し、アーム部材２１のカバー部材２０から上方に突出した上端にはグリップ部２５が設けられ、アーム部材２１の下端からはアーム部材２１に対して略垂直方向にレバー部材２２が延出している。なお、この実施形態では、アーム部材２１とレバー部材２２とを一体成形しているが、アーム部材２１とレバー部材２２とを別々に成形し取り付けるようにしても構わない。
【００２１】
図１に示すように、フラッシュバルブ１のハンドル１７が閉弁位置のときは、レバー部材２２はハンドル１７に当接し、これにより、アーム部材２１は第１位置を維持する。このとき、アーム部材２１とフラッシュバルブ１との接触位置にゴムなどの弾性部材２４を設けて、アーム部材２１のぐらつきやフラッシュバルブ１との接触を防止するのが好ましい。あるいは、アーム部材２１をハンドル１７の方向と逆方向に付勢するバネなどの付勢手段を設けて、アーム部材２１が第１位置を維持するようにしてもよい。
【００２２】
フラッシュバルブ１を開弁する場合には、アーム部材２１のグリップ部２５を持ってアーム部材２１を図１において時計回りに回転させて、アーム部材２１を第２位置とする。図２に示すように、アーム部材２１が第２位置になると、レバー部材２２がフラッシュバルブ１のハンドル１７を押圧して下方に押し下げる。これによって、前述のように、フラッシュバルブ１が開弁し、洗浄水が給水路５から放水路６へと流出し、大便器を洗浄する。
【００２３】
グリップ部２５に加えられていた力が解除されると、フラッシュバルブ１のハンドル１７はスプリング１５の付勢力によって閉弁位置に戻る。これに伴って、ハンドル１７に当接しているレバー部材２２は軸２３を中心として図２において反時計回りに回転して、アーム部材２１は第１位置に戻る。このとき、弾性部材２４によってアーム部材２１とフラッシュバルブ１との衝突が防止される。
【００２４】
補助ハンドル装置２のフラッシュバルブ１への取り付けは、図３に示すように、略円筒状のカバー部材２０を、フラッシュバルブ１の上方から嵌め入れることにより行う。カバー部材２０の、給水路５及びハンドル１７の基部に対応する位置には、下端から上方に向かう切り欠き部２０１及び切り欠き部２０２が形成されており、カバー部材２０をフラッシュバルブ１に嵌め入れる際には、給水路５及びハンドル１７の基部は切り欠き部２０１及び切り欠き部２０２にそれぞれ入り込む。そして、図１に示すように、カバー部材２０の外側からネジ２９を螺入してカバー部材２０をフラッシュバルブ１にしっかりと固定するのが好ましい。
【００２５】
図４に、補助ハンドル装置２のフラッシュバルブ１への他の取り付け形態を示す。この図に示す補助ハンドル装置２は、カバー部材２０が合体すると略円筒状となる左右一対の部材２０ａ，２０ｂから構成され、補助ハンドル装置２は、フラッシュバルブ１を両側から挟み込むようにして取り付けられる。また、左右一対の部材２０ａ，２０ｂの、給水路５及びハンドル１７の基部に対応する位置にはそれぞれ切り欠き２０３ａ，２０３ｂ及び切り欠き２０４ａ，２０４ｂが形成されており、フラッシュバルブ１を両側から挟み込むように左右一対の部材２０ａ，２０ｂを合体させると、切り欠き２０３ａ，２０３ｂ及び切り欠き２０４ａ，２０４ｂとで形成される開口部分に給水路５及びハンドル１７の基部が入り込む。
【００２６】
以上、説明した実施形態では、アーム部材２１の形状は直線状でカバー部材２０から上方に突出していたが、これに限定されるものではなく、トイレ内におけるフラッシュバルブ１の取付位置などを考慮し、利用者が操作しやすいように適宜決定すればよい。また、レバー部材２２の形状についても、フラッシュバルブ１のハンドル１７の位置や形状を考慮して適宜決定すればよい。
【産業上の利用可能性】
【００２７】
本発明の補助ハンドル装置によれば、フラッシュバルブの開弁操作は、アーム部材を手で操作することによって行われるので、フラッシュバルブのピストンバルブの壊れが確実に抑えられる。また、フラッシュバルブの取付位置にかかわらず開弁操作が容易に操作できるようになり有用である。
【符号の説明】
【００２８】
１    フラッシュバルブ
２    補助ハンドル装置
１７    ハンドル
２０    カバー部材
２０ａ，２０ｂ    左右対称部材
２１    アーム部材
２２    レバー部材
２３    軸
２５    グリップ部
【図１】
2014201988.tif 000003
【図２】
2014201988.tif 000004
【図３】
2014201988.tif 000005
【図４】
2014201988.tif 000006